(57)【要約】【課題】バケット等の塗料を入れる二重容器に、刷毛その他の塗装具を保持できる塗装具保持装置を提供すること。【解決手段】二重容器の外側容器の端縁に取り付けられ且つ前記外側容器の前記端縁から前記外側容器の内面に沿って配置される内軸、及び、前記外側容器の前記端縁から前記外側容器の外面に沿って配置され且つ前記内軸との間に前記外側容器を挟持する外軸、を有する枠体と、前記枠体の上部に設けられ刷毛その他の塗装具の柄を挟んで支持する左右アームを備えたアーム部と、前記枠体と前記アーム部を結合する連結軸と、を備えたことを特徴とする塗装具保持装置を提供する。【選択図】 図１
2018079567.tif 000002
【特許請求の範囲】
【請求項１】
二重容器の外側容器の端縁に取り付けられ且つ前記外側容器の前記端縁から前記外側容器の内面に沿って配置される内軸、及び、前記外側容器の前記端縁から前記外側容器の外面に沿って配置され且つ前記内軸との間に前記外側容器を挟持する外軸、を有する枠体と、
前記枠体の上部に設けられ刷毛その他の塗装具の柄を挟んで支持する左右アームを備えたアーム部と、
前記枠体と前記アーム部を結合する連結軸と、
を備えたことを特徴とする塗装具保持装置。
【請求項２】
前記外軸の上部は、前記内軸上部との間に前記二重容器の端縁を内包する空間を備え、前記外軸の下部は、前記内軸の下部とで前記内側容器を弾性挟持することを特徴とする請求項１に記載の塗装具保持装置。
【請求項３】
前記枠体と前記アーム部との間には、前記二重容器の内側容器の端縁を挿入し保持する内側容器保持スリットが設けられていることを特徴とする請求項１又は請求項２に記載の塗装具保持装置。
【請求項４】
前記外軸の下部であって前記内軸に接する面に凸部を備え、前記内軸の下部であって前記外軸に接する面には凹部が設けられていることを特徴とする請求項１から請求項３いずれか１つに記載の塗装具保持装置
【請求項５】
前記アーム部の左右アームの接続部近傍に、アーム止め突起を設けたことを特徴とする請求項１から請求項４いずれか１つに記載の塗装具保持装置。
【請求項６】
、二重容器の内側容器の端縁に取り付けられ且つ前記内側容器の前記端縁から前記内側容器の内面に沿って配置される内軸、及び、前記内側容器の前記端縁から前記内側容器の外面に沿って配置され且つ前記内軸との間に前記内側容器を挟持し且つ先端が前記内軸先端と略同じ高さにある外軸、を有する枠体と、
前記枠体の上部に設けられ刷毛その他の塗装具の柄を挟んで支持する左右アームを備えたアーム部と、
前記枠体と前記アーム部を結合する連結軸と、を備えたことを特徴とする塗装具保持装置。
【請求項７】
二重容器の内側容器の端縁に取り付けられ且つ前記内側容器の前記端縁から前記内側容器の内面に沿って配置される内軸、及び、前記内側容器の前記端縁から前記内側容器の外面に沿って配置され且つ前記内軸との間に前記内側容器を挟持し且つ先端が前記内軸先端と略同じ高さにある外軸、を有する枠体と、
前記枠体の上部に設けられ刷毛その他の塗装具の柄を挟んで支持する左右アームを備えたアーム部と、
前記枠体と前記アーム部を結合する連結軸と、を備えたことを特徴とする塗装具保持装置。
【発明の詳細な説明】
【技術分野】
【０００１】
この発明は、端縁が厚いバケツや、ローラーバケット、サゲツ缶等、どの容器にも、嵌めることができる塗装具保持装置に関する。
【背景技術】
【０００２】
従来、下げ缶等のバケツ状の容器内に入れて置かれる刷毛の穂先の曲りや癖を防ぐ器具として特許文献１に記載の技術が知られている。この特許文献１には、針金又は粘着テープをバケツの縁に取り付ける器具が紹介されている。針金には刷毛の柄に空けられた穴が通され、粘着テープには刷毛の柄が貼り付けられることによって、刷毛がバケツの縁に保持される。また、特許文献２のように、刷毛の柄の部分を挟んで保持できるアーム部と、バケツの縁に固定できるクリップ式の本体部を備えた刷毛フォルダーも考案されている。
【先行技術文献】
【特許文献】
【０００３】
【特許文献１】特開平１０−２４４７９７号公報
【特許文献２】特開２０１４−６５２９４号公報
【発明の概要】
【発明が解決しようとする課題】
【０００４】
しかしながら、上記特許文献１に記載の刷毛の柄に空けられた穴に通す針金を用いる技術では、容器を手に持って塗装作業を行うと刷毛が揺れて針金から外れてしまうことがあった。また、刷毛の柄を貼り付ける粘着テープを用いる技術では、乾燥による粘着特性の劣化によって塗装作業中に刷毛が粘着テープから外れてしまうことがあった。また、バケツ状の下げ缶に樹脂製のカートリッジ（内側容器）を嵌めて用いる二重容器構造に従来の器具を用いる場合には、塗装作業中に下げ缶内でカートリッジ（内側容器）がずれて器具の取付状態が変わって刷毛が針金や粘着テープから外れてしまうおそれがあった。
【０００５】
そのため、上記特許文献１に記載の器具を用いる場合、塗装作業中に容器内の塗料中に刷毛が埋没して柄が汚れてしまい、柄に付着した塗料が塗装作業中に液だれして作業者を汚してしまう問題があった。特許文献２の刷毛ホルダーは、クリップ式の本体部を下げ缶の端縁に嵌めて固定し、刷毛の柄をアームで挟持して保持するため、特許文献１の器具より安定して刷毛を保持できるが、端縁が厚い形状のバケツ（ローラーバケットと呼ばれる四方体形状のバケット等）では、クリップ部がうまく端縁に適合せず、安定して刷毛を固定できないという問題があった。
【０００６】
そこで、この発明の目的は、容器を手に持って塗装作業を行うように容器に振動が加わる場合であっても、確実に刷毛その他の塗装具を支持して塗料中に刷毛その他の塗装具が埋没してしまうのを防止し、端縁が厚いバケツや、ローラーバケット、サゲツ缶等、どの容器にも、嵌めることができる塗装具保持装置を提供することにある。
【課題を解決するための手段】
【０００７】
本発明にかかる塗装具保持装置は、二重容器の外側容器の端縁に取り付けられ且つ前記外側容器の前記端縁から前記外側容器の内面に沿って配置される内軸、及び、前記外側容器の前記端縁から前記外側容器の外面に沿って配置され且つ前記内軸との間に前記外側容器を挟持する外軸、を有する枠体と、
前記枠体の上部に設けられ刷毛その他の塗装具の柄を挟んで支持する左右アームを備えたアーム部と、前記枠体と前記アーム部を結合する連結軸と、を備えたことを特徴とする。
【０００８】
この発明によれば、枠体を容器の縁に取り付けて塗装具保持装置を容器に簡単に取り付けることができる。ここでいう塗装具とは、刷毛その他の塗装用ブラシのことをいう。また、塗装具保持装置を容器に取り付けた状態で、刷毛その他の塗装具の柄を左右のアームで挟むことにより、刷毛その他の塗装具を容器の縁に確実に支持することができる。そのため、塗装作業中に生じる揺れによっても刷毛その他の塗装具の柄が外れず、柄に付着した塗料が塗装作業中に液だれしない塗装具保持装置を提供することができる。
【０００９】
また、本発明の塗装具保持装置の外軸の上部は、前記内軸上部との間に前記二重容器の端縁を内包する空間を備え、前記外軸の下部は、前記内軸の下部とで前記内側容器を弾性挟持することを特徴とする。
【００１０】
この発明によれば、塗装具保持装置の枠体の内軸と外軸とで形成される空間の上部が広く、下部が狭くなっているため、端縁が厚くなっている形状の容器（内側容器として塗料カートリッジを入れて使用するバケット等）にフィットする。したがって、容器の端縁が厚い容器にも、容易に塗装具保持装置を取り付けることができる。
【００１１】
また、この発明の塗装具保持装置の枠体と前記枠体と前記アーム部との間には、前記二重容器の内側容器の端縁を挿入し保持する内側容器保持スリットが設けられていることを特徴とする。
【００１２】
この発明によれば、塗料カートリッジ（内側容器）の端縁を、内側容器保持スリットに挿入でき、塗料カートリッジ（内側容器）が容器に、しっかりと固定される。塗装作業中に、容器から塗料カートリッジ（内側容器）が外れて塗料がこぼれてしまうことがなく、快適に塗装作業を行うことができる。
【００１３】
また、この発明の塗装具保持装置は、外軸の下部であって前記内軸に接する面に凸部を備え、内軸の下部であって前記外軸に接する面には凹部が設けられていることを特徴とする。
【００１４】
この発明によれば、外軸の下部に設けられた凸部と、内軸の対応する部分に設けられた凹部とが、容器を両側から挟み込み、外軸下部と内軸下部とで容器をしっかりと弾性挟持する。したがって、塗装具保持装置が容器の端縁に、しっかり固定され、刷毛その他の塗装具を安定して保持することができる。
【００１５】
また、この発明の塗装具保持装置の前記アーム部の左右アームの接続部近傍には、アーム止め突起を設けたことを特徴とする。
【００１６】
この発明によれば、アーム部の左右アームの接続部近傍にアーム止め突起が設けられたことによって、左右アームを開閉する際に、左右アームの末端がアーム止め突起にぶつかり、左右アームの位置が、枠体の中央軸上から大きくずれることがないため、刷毛その他の塗装具の柄を挿入しやすくなる。
【００１７】
また、この発明の塗装具保持装置は、二重容器の内側容器の端縁に取り付けられ且つ前記内側容器の前記端縁から前記内側容器の内面に沿って配置される内軸、及び、前記内側容器の前記端縁から前記内側容器の外面に沿って配置され且つ前記内軸との間に前記内側容器を挟持し且つ先端が前記内軸先端と略同じ高さにある外軸、を有する枠体と、前記枠体の上部に設けられ刷毛その他の塗装具の柄を挟んで支持する左右アームを備えたアーム部と、前記枠体と前記アーム部を結合する連結軸と、を備えたことを特徴とする。
【００１８】
この発明によれば、枠体を二重容器の内側容器の縁に、塗装具保持装置を簡単に取り付けることができる。また、内側容器の内面に沿って配置される内軸が短めであるので、内側容器の中にある塗料で内軸先端が汚染されにくい。
【００１９】
また、この発明の塗装具保持装置は、二重容器の内側容器及び外側容器の端縁に取り付けられ且つ前記内側容器の端縁から前記内側容器の内面に沿って配置される内軸、及び、前記外側容器の前記端縁から前記外側容器の外面に沿って配置され且つ前記内軸との間に前記外側容器及び内側容器とを重ねて挟持し且つ先端が前記内軸先端と略同じ高さにある外軸、を有する枠体と、前記枠体の上部に設けられ刷毛その他の塗装具の柄を挟んで支持する左右アームを備えたアーム部と、前記枠体と前記アーム部を結合する連結軸と、を備えたことを特徴とする。
【００２０】
この発明によれば、枠体を容器の縁に取り付けて塗装具保持装置を容器に簡単に取り付けることができる。また、二重容器の内側容器と外側容器を重ねて塗装具保持装置で挟持することによって、内側容器が外側容器から外れることを予防できる。さらに、内側容器の内面に沿って配置される内軸が短めであるので、内側容器の中にある塗料で内軸先端が汚染されにくい。
【図面の簡単な説明】
【００２１】
【図１】（ａ）は、この発明の実施の形態１にかかる塗装具保持装置を示す左側面図であって、（ｂ）はＡ部拡大図である。
【図２】（ａ）は、図１に示した塗装具保持装置の平面図であって、（ｂ）は図１に示した塗装具保持装置の内部構造を説明するための参考平面図である。
【図３】図１に示した塗装具保持装置の正面図である。
【図４】図１に示した塗装具保持装置の背面図である。
【図５】（ａ）及び（ｂ）は、図１に示した塗装具保持装置の使用方法を説明する参考平面図である。
【図６】図１に示した塗装具保持装置の使用方法を説明する参考正面図である。
【図７】図１に示した塗装具保持装置の使用方法を説明する参考右側面図である。
【図８】図１に示した塗装具保持装置の使用方法を説明する参考右側面図である。
【図９】この発明の実施の形態２にかかる塗装具保持装置を示す左側面図である。
【図１０】図９に示した塗装具保持装置の平面図である。
【図１１】図９に示した塗装具保持装置の正面図である。
【図１２】図９に示した塗装具保持装置の背面図である。
【図１３】（ａ）、（ｂ）及び（ｃ）は、図９に示した塗装具保持装置の使用方法を説明する参考上面図である。
【図１４】図９に示した塗装具保持装置の使用方法を説明する参考正面図である。
【図１５】図９に示した塗装具保持装置の使用方法を説明する参考図である。
【図１６】図９に示した塗装具保持装置の使用方法を説明する参考図である。
【図１７】図９に示した塗装具保持装置の使用方法を説明する参考図である。
【図１８】（ａ）この発明の変形例の塗装具保持装置を示す左側面図であり（ｂ）は、図１８（ａ）のＣ部拡大図である。
【図１９】図１８に示した塗装具保持装置の使用方法を説明する参考図である。
【発明を実施するための形態】
【００２２】
（実施の形態１）
以下、図１〜図４を参照し、実施の形態１にかかる塗装具保持装置１００の構成を説明する。この塗装具保持装置１００は、ペンキを収容するカートリッジ（内側容器）を内側に嵌めたバケット等の二重容器において、外側のバケットの端縁に取り付け、内側のカートリッジ（内側容器）の端縁を保持しつつ、刷毛その他の塗装具の柄を支持するものである。
【００２３】
図１（ａ）は、この発明の実施の形態１にかかる塗装具保持装置１００を示す左側面図であって、（ｂ）はＡ部拡大図である。図２（ａ）は、図１に示した塗装具保持装置１００の平面図であって、（ｂ）は、塗装具保持装置１００の内部構造を説明するための参考平面図である。図３は、図１に示した塗装具保持装置１００の正面図である。図４は、図１に示した塗装具保持装置１００の背面図である。
【００２４】
図１（ａ）示すように、この塗装具保持装置１００は、左側面視、二重容器の外側のバケットに取り付ける本体部１、本体部１の上部に設けられたアーム部３及び本体部１とアーム部３を連結する連結軸２を主に有する。本体部１は、バケットの外側に位置する外軸１４と、バケットの内側であって二重容器の内側のカートリッジ（内側容器）との間隙に位置する内軸１３からなる。外軸１４は、二重容器の外側容器の端縁から外側容器の外面に沿って位置し、内軸１３は、二重容器の外側容器の端縁から外側容器内側、すなわち、外側容器と内側容器の間隙に挿入されるものである。内軸１３と外軸１４とで形成される上部空間である中空部１５は、略四方体の空間であって、バケットの厚みのある端縁を内包可能な空間となっている。本体部１は、プラスチックや樹脂等の弾性を有する素材からなる。
【００２５】
図１（ｂ）に示すように、外軸１４は、左側面視、上部は、上から下の方向に略垂直に伸び、外軸湾曲部１４ｂを経て、さらに下方向に略垂直に伸びたのち、内軸１３の方向に向かって斜めに約１０８度の角度をもって曲がる。外軸１４の下部は、内軸１３に向かって斜めに延伸し、半円形状に弧を描く曲線を呈したのち、外軸先端部１４ｂは、内軸１３と反対方向に向かって反り返っている。
【００２６】
外軸１４の下部は、半円形に弧を描いているが、その弧の中央部分であって、内軸１３に接する側に、外軸側凸部１４ｃが設けられており、内軸１３の下部であって、外軸側凸部１４ｃに対応する部分には、内軸側凹部１３ａが設けられている。外軸側凸部１４ｃの先端面と、内軸側凹部１３ａとの間隙は、略約1ミリメートルほどである。また、外軸側凸部１４ｃの先端面と、内軸１３の外軸に接する面である内軸挟持面１３ｂとは、同一直線上に位置する。外軸側凸部１４ｃの先端面と、内軸側凹部１３ａとの間隙が、略約1ミリメートル設けられていることによって、容器の端縁を滑り込ませやすくなり、塗装具保持装置１００を容器に取り付ける際に、内軸１３の先端を内側容器と外軸容器の間隙に差し込み易くなる。また、外軸側凸部１４ｃの先端面と、内軸１３の外軸に接する面である内軸挟持面１３ｂとが、同一直線上に位置する構造となっていることによって、外軸１４と内軸１３とで容器を挟むように密着し、容器を両側からがっちりと挟みこむことができるので、塗装具保持装置１００を容器の端縁にしっかりと固定できる。
【００２７】
外軸１４の上方に設けられた外軸湾曲部１４ｂは、外軸１４に弾性を与えるとともに、外軸１４が、よくしなるようにする役目を担う。容器の端縁に外軸１４と内軸１３を装着する際、外軸１４が、弾性をもって、外側に開くので、内軸１３との間隙を一時的に広く保つことができ、外軸１４と内軸１３とで容器の端縁を挟み込みやすい。外軸１４の上部と、内軸１３の上部とで形成される空間である中空部１５は、厚みのある端縁でも、薄い端縁でも収納可能な空間を有するため、塗装具保持装置１００は、様々な端縁形状の容器に嵌合可能である。
【００２８】
また、外軸１４の先端である外軸先端部１４ａが、内軸１３とは反対の方向に向かって、反り返っており、外軸先端部１４ａと、内軸１３の先端との間隙が、十分確保されるとともに、反り返った外軸先端部外軸１４ａを指でつまんで外側に押し広げる様にしながら塗装具保持装置１００を容器の端縁に嵌めることができるので、嵌める作業が容易となる。
【００２９】
塗装具保持装置１００を取り付ける際、内軸１３と外軸１４の先端を、内側容器の端縁にあてがって、上から力を加えると、内軸１３と外軸１４の先端が、内側容器の側面にそって滑らかに擦動し、内軸１３と外軸１４とが内側容器をしっかり挟み込み保持する。内軸１３と外軸１４その間隙が、容器の端縁に比して狭い場合は、外軸１４の先端である外軸先端部１４ａを指でつまんで、押し広げるようにしながら内軸１３と外軸１４とで内側容器をしっかり挟み込むようにして塗装具保持装置１００を取り付ける。
【００３０】
本体部１の上側に設けられたアーム部３は、右アーム３１と左アーム３２からなる。右アーム３１と左アーム３２とは、バネ構造等で接続され、刷毛の柄を右アーム３１と左アーム３２とで挟んで弾性挟持が可能となっている。アーム部３の下部には、内側容器保持スリット１６が設けられている。内側容器保持スリット１６は、アーム部３の下辺と本体部１の内軸１３との間に設けられた細い空間であって、内側容器の端縁を、この内側容器保持スリット１６に挿入すれば、内側容器の位置ズレを防ぎ、しっかりと内側容器を固定することができる。本体部１の上部には、上側アーム挟持部１１と下側アーム挟持部１２が設けられ、上側アーム挟持部１１と下側アーム挟持部１２の間隙に、アーム部３が、連結軸２によって回転可能に取り付けられている。
【００３１】
図２（ａ）に示すように、上面視、アーム部３は、連結軸２によって本体部１に取り付けられており、左右対称にアームが取り付けられ、右アーム３１と左アーム３２になっている。右アーム３１と左アーム３２との間に形成される空間は、縦長の楕円形状であって、刷毛の柄を保持可能な大きさとなっている。右アーム３１と左アーム３２は、図２中奥行き方向に、山谷を繰り返す波型に成型されており凹凸面３１ｂ及び３２ｂとなっている。凹凸面３１ｂ及び３２ｂは、右アーム３１と左アーム３２との間に刷毛の柄が保持される場合に、波型が刷毛の柄に接触し、滑り止めの役目を担う。
【００３２】
右アーム３１の先端には平面が設けられアーム先端３１ａとなっている。左アーム３２の先端にも平面が設けられアーム先端３２ａとなっている。アーム先端３１ａの平面と３２ａの平面は、鈍角を形成しているため、刷毛の柄をアーム先端３１ａと３２ａに押し付けると、アーム先端３１ａと３２ａが容易に左右に開き、刷毛の柄は、右アーム３１と左アーム３２で形成する空間にスムーズに滑り込むことができる。
【００３３】
図２（ｂ）に示すように、本体部１の内部であって、アーム部３の右アーム３１のアーム先端３１ａとは反対側の端であるアーム末端３１ｃと、左アーム３２のアーム末端３２ｃとの間隙に形成される空間には、断面が三角形状のアーム止め突起３２が設けられている。右アーム３１のアーム末端３１ｃまたは左アーム３２のアーム末端３２ｃとが、所定角度以上開くと、このアーム止め突起３２に接触し、ぶつかることになる。そのため、右アーム３１及び左アーム３２の回転幅を所定角度内に抑えられる。アーム止め突起３２が設けられていることによって、右アーム３１と左アーム３２の回転幅が制限され、本体の中央軸に対して中心の位置にきやすく、右アーム３１と左アーム３２とで形成される空間に刷毛の柄を挿入しやすい。
【００３４】
図３に示すように、正面視、アーム部３は、本体部１の上側アーム挟持部１１と下側アーム挟持部１２とで挟んで保持され、アーム部３の下部には、内側容器保持スリット１６が設けられ、その下には内軸１３が設けられている。本体部１の下側には、内軸１３と外軸１４が設けられており、内軸１３と外軸１４とで、二重容器の外側のバケットの縁を両側から挟んで保持する。内軸１３は、細長い平板形状となっている。
【００３５】
図４に示すように、背面視、内軸１３は、外軸１４よりも長くなっている。また、アーム部３は、本体部１の上方に、設けられており、左右に張り出している。外軸１４は、内軸１３の後方に設けられている。内軸１３及び外軸１４の厚みは約１ミリメートルから３ミリメートル程度である。
【００３６】
次に、図５から図８を示しながら、塗装具保持装置１００の使用状態について説明する。
【００３７】
図５（ａ）及び（ｂ）は、図１に示した塗装具保持装置の使用方法を説明する参考上面図である。図６は、図１に示した塗装具保持装置の使用方法を説明する参考正面図である。図７及び図８は、図１に示した塗装具保持装置の使用方法を説明する参考右側面図である。
【００３８】
塗装具保持装置１００のアーム部３の右アーム３１と左アーム３２は、左右に開閉可能となっている。塗装具保持装置１００を使用する際は、図５（ａ）に示すように、右アーム３１と左アーム３２を左右に開いて、図５（ｂ）に示すように、右アーム３１と左アーム３２とで形成される空間に刷毛の柄Ｐを滑り込ませる。右アーム３１と左アーム３２の先端には、それぞれ、アーム先端面３１ａ及び３２ａが設けられ、平らな面となっており、アーム先端面３１ａと３２ａは、互い鈍角を形成しているので、刷毛の柄Ｐを、アーム先端面３１ａと３２ａに押し付けるだけで、右アーム３１と左アーム３２が左右に開き、刷毛の柄Ｐを滑り込ませることができる。
【００３９】
また、アーム止め突起３２が設けられていることで、アーム部３の回転幅が制限され、右アーム３１と左アーム３２が、中央から大きくずれることがない。したがって、刷毛の柄を右アーム３１と左アーム３２との間に挟みこむ際、片手で、刷毛の柄を押し込めば、容易に右アーム３１と左アーム３２との間隙に挿入することができる。
【００４０】
塗装具保持装置１００のアーム部３は、右アーム３１と左アーム３２とが巻きバネで連結されており、右アーム３１と左アーム３２を手で押し広げることができ、手を離すと、右アーム３１と左アーム３２が閉じる構造になっている。したがって、図６のように、塗装具保持装置１００のアーム部３は、刷毛の柄Ｐをしっかり保持することができる。
【００４１】
塗装作業では、バケットＢの内側に、バケットＢの内寸と略同じ大きさのカートリッジ（内側容器）Ｋを設置して、カートリッジ（内側容器）Ｋの中に塗料Ｔを注いだうえ、塗装作業を行う。図７に示すように、塗装具保持装置１００は、内軸１３をバケットＢとカートリッジ（内側容器）Ｋの間隙に挿入し、内軸１３と外軸１４とで、バケットＢを挟み込み固定する。取り付けた塗装具保持装置１００に、図８に示すように、刷毛の柄Ｐを挟持させ、刷毛の先端のブラシ部がカートリッジ（内側容器）Ｋ内の塗料につかない位置に刷毛を保持することもできるし、刷毛の先端のブラシ部に付着した塗料が乾燥して固まらないよう、刷毛のブラシ部が塗料に浸かった状態になるような位置に刷毛を保持することもできる。短時間の休憩時は、刷毛の下部をアーム部３で挟持して刷毛を上方位置に保持し、長時間作業を中断する場合は、刷毛のブラシ先端が塗料に浸かった状態でキープされるよう刷毛の上部をアーム部３で挟持して刷毛を下方位置で保持する等、状況に応じて、使い分けるとよい。
【００４２】
バケットＢの端縁に塗装具保持装置１００を取り付けたとき、アーム部３と内軸１３との間の内側容器保持スリット１６には、カートリッジ（内側容器）Ｋの端縁が挿入される。塗装具保持装置１００は、バケットＢだけでなく、カートリッジ（内側容器）Ｋも押さえることができるので、塗装作業中、バケットＢからカートリッジ（内側容器）Ｋが外れることを防止する効果もある。カートリッジ（内側容器）Ｋ内の塗料が少なくなり重量が軽くなると、ちょっとした衝撃でカートリッジ（内側容器）ＫがバケットＢから浮いたり、外れてしまったりすることがある。塗装具保持装置１００を取り付けて、バケットＢとカートリッジ（内側容器）Ｋを同時に固定できることで、そういった不便がなくなり、快適に塗装作業を行うことができる。
【００４３】
また、塗装具保持装置１００の内軸１３は、バケットＢとカートリッジ（内側容器）Ｋとの間隙に挿入されるので、カートリッジ（内側容器）Ｋに入れられた塗料ペンキが内軸１３に付着して塗装具保持装置１００が汚れてしまうことがない。したがって、何度使用しても綺麗なまま、快適に、塗装具保持装置を使用し続けることができる。
【００４４】
上記実施の形態１において、本体部１、アーム部３及び連結部２は、プラスチック製、合成樹脂製のほか、アルミニウムやステンレス鋼等の金属等のいずれであってもよく、それぞれ同一の材質であっても異なる材質を組み合わせたものであってもよい。
【００４５】
したがって、上記実施の形態１の塗装具保持装置１００によれば、内軸１３及び外軸１４によりバケットＢ及びカートリッジ（内側容器）Ｋに確実に取り付けることができ、アーム部３により刷毛の柄を確実に挟むことができる。そのため、バケットＢを手に持って塗装作業を行うような、バケットＢに振動が加わる場合であっても、刷毛の柄を汚さないように確実に刷毛を塗装具保持装置１００に支持することができ、塗料中の刷毛の柄からのペンキの液たれを防ぐことができる。
【００４６】
実施の形態１では、塗装具保持装置１００をカートリッジ（内側容器）を中に入れて使用するバケットＢに取り付ける方法を説明したが、塗装具保持装置１００は、カートリッジ（内側容器）を中に入れて使用するバケットＢのほか、塗料を入れて使用するサゲツ缶や、ローラーで塗料を塗布する際に使用するローラーバケットに取り付けることもできる。塗装具保持装置１００は、厚みのある端縁にも嵌合する中空部１５を備えているため、幅広い厚みの端縁を有する容器に適合可能である。塗装作業の際、塗装具保持装置１００を１つ携帯しておけば、複数種類の塗料容器に塗装具保持装置１００を取り付けることができ、効率的に塗装作業を行うことができる。
【００４７】
（実施の形態２）
次に、図９から図１７を示しながら、この発明の実施の形態２にかかる塗装具保持装置２００の構成を説明する。
【００４８】
図９は、この発明の実施の形態２にかかる塗装具保持装置を示す左側面図である。図１０は、図９に示した塗装具保持装置の平面図である。図１１は、図９に示した塗装具保持装置の正面図である。図１２は、図９に示した塗装具保持装置の背面図である。
【００４９】
実施の形態２の塗装具保持装置２００は、アーム部３が３６０度回転可能に取り付けられた塗装具保持装置である。
【００５０】
図９に示すように、実施の形態２の塗装具保持装置２００は、左側面視、二重容器の外側のバケットに取り付ける本体部１、本体部１の上部に設けられたアーム部３及び本体部１とアーム部３を連結する連結軸２を主に有する。
【００５１】
アーム部３は、本体部１の上側に、連結軸２を回転軸として回転可能に取り付けられている。実施の形態１では、本体部１の上側アーム挟持部１１と下側アーム挟持部１２との断面が、コの字形状となり、互いに連続していたが、実施の形態２では、本体部１の上側アーム挟持部１１と、下側アーム挟持部１２とは、それぞれ、アーム部２の上部と下部に分断して設けられている。したがって、アーム部２は、連結軸２を回転軸として３６０度回転可能となっている。本体部１の上側アーム挟持部１１と、下側アーム挟持部１２及びアーム部２を除いた部分の構成は、実施の形態１の塗装具保持装置１００と略同じである。
【００５２】
本体部１は、バケットの外側に位置する外軸１４と、バケットの内側であって二重容器の内側のカートリッジ（内側容器）Ｋとの間隙に位置する内軸１３からなり、本体部１の上側に設けられたアーム部３は、右アーム３１と左アーム３２からなる。アーム部３の下部には、内側容器保持スリット１６が設けられている。
【００５３】
本体部１の下側には、内軸１３と外軸１４が設けられており、内軸１３と外軸１４とで、二重容器の外側のバケットの縁を両側から挟んで保持する。内軸１３と外軸１４の間隙は上部が広く、下部が狭くなっている。内軸１３と外軸１４とで形成される上部空間である中空部１５は略四方体の空間であって、バケットの厚みのある端縁の形状に沿った形状となっている。
【００５４】
図１０に示すように、上面視、アーム部３は、連結軸２によって本体部１に取り付けられており、左右対称にアームが取り付けられ、右アーム３１と左アーム３２になっている。実施の形態２の塗装具保持装置は、連結軸２を軸として３６０度回転可能である。
【００５５】
右アーム３１と左アーム３２との間に形成される空間は、縦長の楕円形状であって、刷毛の柄を保持可能な大きさとなっている。右アーム３１と左アーム３２は、図２中奥行き方向に、山谷を繰り返す波型に成型されており凹凸面３１ｂ及び３２ｂとなっている。凹凸面３１ｂ及び３２ｂは、右アーム３１と左アーム３２との間に刷毛の柄が保持される場合に、波型が刷毛の柄に接触し、滑り止めの役目を担う。
【００５６】
右アーム３１の先端には平面が設けられアーム先端３１ａとなっている。左アーム３２の先端にも平面が設けられアーム先端３２ａとなっている。アーム先端３１ａの平面と３２ａの平面は、鈍角を形成しているため、刷毛の柄をアーム先端３１ａと３２ａに押し付けると、アーム先端３１ａと３２ａが容易に左右に開き、刷毛の柄は、右アーム３１と左アーム３２で形成する空間にスムーズに滑り込むことができる。
【００５７】
図１１に示すように、正面視、アーム部３は、本体部１の上側アーム挟持部１１と下側アーム挟持部１２とで挟んで保持され、アーム部３の下部には、内側容器保持スリット１６が設けられ、その下には内軸１３が設けられている。
【００５８】
図１２に示すように、背面視、本体部１の上側アーム挟持部１１と下側アーム挟持部１２との間には、アーム部３の厚みと略同じ大きさの空間が設けられ、アーム部３が回転可能に取り付けられている。アーム部３の背面には、右アーム３１と左アーム３２との連結部分がある。右アーム３１と左アーム３２は、巻きバネ等によって、開閉可能に接続されている。
【００５９】
次に、図１３から図１７を示しながら、塗装具保持装置２００の使用状態について説明する。
【００６０】
図１３（ａ）、（ｂ）及び（ｃ）は、図９に示した塗装具保持装置の使用方法を説明する参考上面図である。図１４は、図９に示した塗装具保持装置の使用方法を説明する参考正面図である。図１５から図１７は、図９に示した塗装具保持装置の使用方法を説明する参考図である。
【００６１】
塗装具保持装置２００のアーム部３の右アーム３１と左アーム３２は、左右に開閉可能となっている。塗装具保持装置２００を使用する際は、図１３（ａ）に示すように、右アーム３１と左アーム３２を左右に開いて、図１３（ｂ）に示すように、右アーム３１と左アーム３２とで形成される空間に刷毛の柄Ｐを滑り込ませる。右アーム３１と左アーム３２の先端には、それぞれ、アーム先端面３１ａ及び３２ａが設けられ、平らな面となっており、アーム先端面３１ａと３２ａは、互い鈍角を形成しているので、刷毛の柄Ｐを、アーム先端面３１ａと３２ａに押し付けるだけで、右アーム３１と左アーム３２が左右に開き、刷毛の柄Ｐを滑り込ませることができる。
【００６２】
アーム部３は、連結軸３６０度回転可能となっており、図１３（ｃ）に示すように、１８０度反対側に刷毛Ｐを保持することもできる。
【００６３】
図１４に示すように、塗装具保持装置２００のアーム部３は、刷毛の柄Ｐをしっかり保持することができる。塗装具保持装置２００のアーム部３は、右アーム３１と左アーム３２とが巻きバネで連結されており、右アーム３１と左アーム３２を手で押し広げることができ、手を離すと、右アーム３１と左アーム３２が閉じる構造になっている。
【００６４】
実施の形態２の塗装具保持装置２００の使用方法について、図１５に示すように、実施の形態１の塗装具保持装置１００を使用する際と同じように、塗装作業で使用する二重容器の内側のカートリッジ（内側容器）Ｋに塗装具保持装置２００を取り付けて使用する。塗装具保持装置２００の内軸１３をバケットＢとカートリッジ（内側容器）Ｋの間隙に挿入し、内軸１３と外軸１４とで、バケットＢを挟み込み固定する。
【００６５】
取り付けた塗装具保持装置２００に、図１６に示すように、刷毛の柄Ｐを挟持させ、刷毛の先端のブラシ部がカートリッジ（内側容器）Ｋの中に入っている塗料につかない位置に刷毛を保持することもできるし、刷毛の先端のブラシ部に付着した塗料が乾燥して固まらないよう、刷毛のブラシ部が塗料に浸かった状態になるような位置に刷毛を保持することもできる。
【００６６】
さらに、実施の形態２の塗装具保持装置２００は、アーム部３が３６０度回転可能であるので、図１７に示すように、本体部１に対し、アーム部３を１８０度回転して反対側に向くよう、塗装具保持装置２００を設置することもできる。図１７のように、アーム部３が、バケットＢの外側に向くよう塗装具保持装置２００を設置すると、バケットＢの外側に刷毛Ｐを保持することが可能である。まだ未使用の新品の刷毛Ｐを保持する場合には、このように、バケットＢの外側に刷毛Ｐを保持しておくとよい。
【００６７】
上記実施の形態２において、本体部１、アーム部３及び連結部２は、プラスチック製、合成樹脂製のほか、アルミニウムやステンレス鋼等の金属等のいずれであってもよく、それぞれ同一の材質であっても異なる材質を組み合わせたものであってもよい。
【００６８】
（変形例）
次に、図１８から図１９を示しながら、この発明の変形例の塗装具保持装置３００の構成を説明する。
【００６９】
図１８（ａ）は、この発明の変形例の塗装具保持装置を示す左側面図であり（ｂ）は、図１８（ａ）のＣ部拡大図である。
【００７０】
図１８（ａ）及び（ｂ）に示すように、実施の形態３の塗装具保持装置３００は、内軸１３の長さが、実施の形態１の塗装具保持装置１００より短い。内軸１３の先端と外軸１４の先端が略同じ高さに位置するような構成となっている。内軸１３の長さが短いところ以外は、実施の形態１の塗装具保持装置１００と同様であるので、その他の部分は説明を省略する。
【００７１】
塗装具保持装置３００は、二重容器の内側容器Ｋに取り付けて使用する塗装具保持装置３００である。図１９に示すように、内軸１３が短いため、二重容器の内側容器Ｋに取り付けても、内側容器Ｋの中に入っている塗料に、内軸先端が汚染されにくい。
【００７２】
塗装具保持装置３００は、図１９に示すように、二重容器の内側容器Ｋのみに取り付けても良いし、また、二重容器の内側容器Ｋと外側容器であるバケットＢを重ねて挟持するように取り付けることもできる。二重容器の内側容器Ｋと外側容器であるバケットＢとを重ねて挟持するよう取り付けたときも、内軸１３が短いことで、内軸１３の先端が塗料で汚染されにくく、何度でも、衛生的に使用することができる。すなわち、塗装具保持装置３００は、内軸１３が塗料入りの容器の内面に沿って位置するように取り付ける際に使用し、内軸１３の先端が塗料に汚染されないような構造となっている。
【００７３】
塗装具保持装置３００は、二重容器型の塗料容器のほか、内側容器を使用せず直接塗料を入れて使用するサゲツ缶やトリシタ缶、ローラーバケットやバケツ等、様々な容器に取り付けてもよい。塗装具保持装置３００は、塗装作業に使用する様々な形状の塗料容器に取り付けて、刷毛を保持することができる。
【符号の説明】
【００７４】
１００，２００  塗装具保持装置
１  本体部
１１  上側アーム挟持部
１２  下側アーム挟持部
１３  スリット
１３  内軸
１３ａ  内軸凹部
１３ｂ  内軸側挟持面
１４  外軸
１４ａ  外軸先端部  
１４ｂ  外軸湾曲部
１４ｃ  外軸側凸部
１５  中空部
１６  内側容器保持スリット
２  連結軸
３  アーム部 
３１  右アーム
３１ａ  アーム先端
３１ｂ  凹凸面
３１ｃ  アーム末端
３２  左アーム
３２ａ  アーム先端
３２ｂ  凹凸面
３２ｃ  アーム末端
３３  連結部
３４  アーム止め突起
Ｐ  刷毛
Ｂ   バケット
Ｋ    内側容器
Ｔ    塗料
【図１】
2018079567.tif 000003
【図２】
2018079567.tif 000004
【図３】
2018079567.tif 000005
【図４】
2018079567.tif 000006
【図５】
2018079567.tif 000007
【図６】
2018079567.tif 000008
【図７】
2018079567.tif 000009
【図８】
2018079567.tif 000010
【図９】
2018079567.tif 000011
【図１０】
2018079567.tif 000012
【図１１】
2018079567.tif 000013
【図１２】
2018079567.tif 000014
【図１３】
2018079567.tif 000015
【図１４】
2018079567.tif 000016
【図１５】
2018079567.tif 000017
【図１６】
2018079567.tif 000018
【図１７】
2018079567.tif 000019
【図１８】
2018079567.tif 000020
【図１９】
2018079567.tif 000021